(57)【要約】【課題】被覆部とともに屋根水切り部及び軒天カバーの少なくとも一方も一度に取り付けることが可能になるとともに、不燃ボードを鼻隠し下地材又は破風下地材と被覆部との間に容易に設けることを可能にする。【解決手段】屋根用端部材１は、鼻隠し下地材１０４を覆う被覆部３ａと、屋根水切り部を構成する板金部材２と、軒天カバーを構成する垂直板部３ｂ、底板部３ｃ及び板金部材４とを含む。被覆部３ａの裏側には、鼻隠し下地材１０４との間において、石膏ボード１１０を収容可能な収容凹部３ａ６が設けられている。【選択図】図１
2020007876.tif 000002
【特許請求の範囲】
【請求項１】
建物の屋根の端部に配置する屋根用端部材であって、
鼻隠し下地材又は破風下地材を覆う被覆部と、前記被覆部と繋がって形成され、前記被覆部の上側に配置される屋根水切り部及び前記被覆部の下側に配置される軒天カバーの少なくともいずれか一方とを備えており、
前記被覆部の裏側には、前記鼻隠し下地材又は前記破風下地材との間において、不燃ボードを収容可能な収容部が設けられていることを特徴とする屋根用端部材。
【請求項２】
前記被覆部は、前記鼻隠し下地材を覆うものであり、
前記軒天カバーが、前記被覆部と繋がって形成されており、
前記軒天カバーには、通気穴が形成されていることを特徴とする請求項１に記載の屋根用端部材。
【請求項３】
前記被覆部には、
前記被覆部の前記収容部を画定する左右の側壁部のうち、一方の前記側壁部の後方端部から左右方向の外側へ突出して形成された連結片と、
前記一方の側壁部と前記連結片との境界部分に形成されたスリット孔と、
他方の前記側壁部の後方端部から前記左右方向の外側に突出し、前記スリット孔に挿入可能なサイズに形成された差し込み片とを有していることを請求項１又は２に記載の屋根用端部材。
【請求項４】
建物の屋根の端部に配置する屋根用端部材であって、
鼻隠し下地材又は破風下地材を覆う被覆部と、前記被覆部と繋がって形成され、前記被覆部の上側に配置される屋根水切り部及び前記被覆部の下側に配置される軒天カバーの少なくともいずれか一方とを備えており、
前記被覆部の裏側に、不燃ボードが貼着されていることを特徴とする屋根用端部材。
【発明の詳細な説明】
【技術分野】
【０００１】
本発明は、軒先又はけらばなどの建物の屋根の端部に配置する屋根用端部材に関する。
【背景技術】
【０００２】
建物の屋根の端部である軒先又はけらばには、軒先水切り又はけらば水切り、その下の鼻隠し又破風、その下に軒天換気材がそれぞれ個別に設置されている。これら部材の施工性を向上すべく、屋根の端部に配置される鼻隠と軒天井とが一体とされた鼻隠・軒天部材や、軒天井及び破風板が一体化したような部材が提案されている（例えば、特許文献１及び特許文献２参照）。
【先行技術文献】
【特許文献】
【０００３】
【特許文献１】特許第３０７８７０２号公報
【特許文献２】特許第５８２８１５０号公報
【発明の概要】
【発明が解決しようとする課題】
【０００４】
一方で、近年、建物の防火対応として、外壁材に窯業系材料からなる不燃ボードを介して施工することが行われ、鼻隠しなどにも、同様の不燃ボードが用いられることがある。例えば、上記特許文献１及び特許文献２に記載の一体とされた部材（鼻隠と軒天井とが一体とされた部材や、軒天井及び破風板が一体とされた部材）の材質を不燃ボードと同様な材質で構成し、防火対応とすることなどが考えられる。しかしながら、このような不燃ボードと同様な材質で構成された、上記一体とされた部材は、鼻隠し下地材や破風下地材などの木製の下地材にビスなどにより固定されて用いられる。このとき、木製の下地材の反りにより、一体とされた部材と下地材との間に大きなズレや隙間などが生じないように、一体とされた部材は、狭い間隔で多くのビスを用いて下地材に固定される。このため、一体とされた部材を下地材に固定する作業が非常に煩雑になるという問題が生じる。
【０００５】
そこで、本発明の目的は、被覆部とともに屋根水切り部及び軒天カバーの少なくとも一方も一度に取り付けることが可能になるとともに、ビスなどを用いることなく不燃ボードを鼻隠し下地材又は破風下地材と被覆部との間に設けることが可能な屋根用端部材を提供することである。
【課題を解決するための手段】
【０００６】
本発明の屋根用端部材は、建物の屋根の端部に配置する屋根用端部材であって、鼻隠し下地材又は破風下地材を覆う被覆部と、前記被覆部と繋がって形成され、前記被覆部の上側に配置される屋根水切り部及び前記被覆部の下側に配置される軒天カバーの少なくともいずれか一方とを備えている。そして、前記被覆部の裏側には、前記鼻隠し下地材又は前記破風下地材との間において、不燃ボードを収容可能な収容部が設けられている。
また、本発明の屋根用端部材は、別の観点では、建物の屋根の端部に配置する屋根用端部材であって、鼻隠し下地材又は破風下地材を覆う被覆部と、前記被覆部と繋がって形成され、前記被覆部の上側に配置される屋根水切り部及び前記被覆部の下側に配置される軒天カバーの少なくともいずれか一方とを備えており、前記被覆部の裏側に、不燃ボードが貼着されている。
【０００７】
これによると、屋根用端部材が、鼻隠し下地材又は破風下地材を覆う被覆部と、これに繋がった屋根水切り部及び軒天カバーの少なくとも一方とを有している。このため、屋根の端部（すなわち、軒先やけらば）に屋根用端部材を取り付けた際に、被覆部とともに、屋根水切り部及び軒天カバーの少なくとも一方も一度に取り付けることが可能になる。また、被覆部の裏側に収容部が設けられているため、不燃ボードを釘やビスを用いることなく、鼻隠し下地材又は破風下地材と被覆部との間に設けることが可能となる。
なお、本発明における収容部としては、被覆部と鼻隠し下地材又は破風下地材との間に不燃ボードを収容できる空間があればよく、例えば、凹部のように周囲を壁で囲まれた収容空間（収容凹部）であってもよいし、周囲の一部が壁で囲まれた収容空間であってもよいし、周囲に壁がなくてもよい。
【０００８】
本発明において、前記被覆部は、前記鼻隠し下地材を覆うものであり、前記軒天カバーが、前記被覆部と繋がって形成されており、前記軒天カバーには、通気穴が形成されていることが好ましい。これにより、建物の通気性が向上する。
【０００９】
また、本発明において、前記被覆部には、前記被覆部の前記収容部を画定する左右の側壁部のうち、一方の前記側壁部の後方端部から左右方向の外側へ突出して形成された連結片と、前記一方の側壁部と前記連結片との境界部分に形成されたスリット孔と、他方の前記側壁部の後方端部から前記左右方向の外側に突出し、前記スリット孔に挿入可能なサイズに形成された差し込み片とを有していることが好ましい。これにより、左右方向において、屋根用端部材同士を連結することが可能になる。また、屋根用端部材同士を左右に連結したときに、一方の屋根用端部材（被覆部）の連結片を他方の屋根用端部材（被覆部）が覆うように配置される。このため、例えば、一方の屋根用端部材を鼻隠し下地材又は破風下地材に取り付ける際に、連結片をビスなどで鼻隠し下地材又は破風下地材に固定しても、他方の屋根用端部材によって連結片が覆われるため、これら連結片及びビスなどを隠すことができる。したがって、屋根用端部材同士の継ぎ目の外観を損ねることなく、容易に連結することができる。
【発明の効果】
【００１０】
本発明の屋根用端部材によると、屋根用端部材が、鼻隠し下地材又は破風下地材を覆う被覆部と、これに繋がった屋根水切り部及び軒天カバーの少なくとも一方とを有している。このため、屋根の端部（すなわち、軒先やけらば）に屋根用端部材を取り付けた際に、被覆部とともに、屋根水切り部及び軒天カバーの少なくとも一方も一度に取り付けることが可能になる。また、被覆部の裏側に収容部が設けられているため、不燃ボードを釘やビスを用いることなく、鼻隠し下地材又は破風下地材と被覆部との間に設けることが可能となる。
【図面の簡単な説明】
【００１１】
【図１】本発明の一実施形態に係る屋根用端部材が採用された屋根構造を示す概略断面図である。
【図２】図１に示す屋根用端部材の斜視図である。
【図３】図１に示す屋根用端部材の側面図である。
【図４】図１に示す屋根用端部材の正面図である。
【図５】図１に示す屋根用端部材の屋根水切り部を構成する板金部材の側面図である。
【図６】（ａ）は図１に示す屋根用端部材の被覆部及び軒天カバーの一部を構成する板金部材の側面図であり、（ｂ）は図１に示す屋根用端部材の軒天カバーの他部を構成する板金部材の側面図である。
【図７】本発明の他の実施形態に係る屋根用端部材が採用された屋根構造を示す概略断面図である。
【図８】図７に示す屋根用端部材の斜視図である。
【図９】図７に示す屋根用端部材の側面図である。
【図１０】図７に示す屋根用端部材の正面図である。
【図１１】図７に示す屋根用端部材の屋根水切り部を構成する板金部材の側面図である。
【図１２】図７に示す屋根用端部材の被覆部及び軒天カバーを構成する板金部材の側面図である。
【発明を実施するための形態】
【００１２】
以下、本発明の一実施形態に係る屋根用端部材１が採用された屋根構造１００について、図１を参照しつつ以下に説明する。本実施形態における屋根構造１００は、図１に示すように、切妻屋根の軒先近傍部分の構造であって、棟木、母屋（ともに不図示）及び軒桁１０１ａを含む支持材１０１と、支持材１０１上に固定された垂木１０２と、垂木１０２上に固定された野地板１０３と、鼻隠し下地材１０４と、縦胴縁１１１に固定された際野縁１０５と、軒天板１０６と、屋根用端部材１とを有している。なお、図１に示す一水平方向である前後方向Ａ、前後方向Ａと直交し前方（図１中左方）から見たときの左右方向Ｂ、及び、前後方向Ａ及び左右方向Ｂに直交する上下方向Ｃを基準として、以下に説明する。また、他の図面においても、説明の便宜上、図１に示す方向を基準として示す。
【００１３】
鼻隠し下地材１０４は、左右方向Ｂに長尺に延在し、図１に示すように、上下方向Ｃに沿って立設された木製の平板から構成されている。また、鼻隠し下地材１０４は、垂木１０２の先端面（図１中左端面：前後方向Ａにおいて前端面）１０２ａにビスなどで固定されている。軒天板１０６は、際野縁１０５の下面にビス１０７で固定されている。本実施形態の軒天板１０６においては、スラグ石膏板から構成されているが、不燃材料から構成されていればどのような材質から構成されていてもよい。
【００１４】
続いて、屋根用端部材１について、図２〜図６を参照しつつ以下に説明する。屋根用端部材１は、図２〜図４に示すように、金属製の平板（例えば、ガルバリウム鋼板（登録商標））が折り曲げられて形成された３つの板金部材２〜４を有しており、左右方向Ｂに沿って長尺に形成されている。板金部材２は、他の板金部材３，４よりも上方に配置されている。板金部材２は、図５に示すように、前方に向かって下方に傾斜する雨水案内板部２ａと、雨水案内板部２ａの前端から下方に延在する前垂れ板部２ｂと、前垂れ板部２ｂの下端から後方に延在する底板部２ｃとを有しており、屋根水切り部として構成されている。
【００１５】
雨水案内板部２ａは、図１に示すように、野地板１０３の上面に沿って傾斜しており、複数のビス１０８によって野地板１０３に固定される。雨水案内板部２ａの右端部と前垂れ板部２ｂの右端部には、図４に示すように、右方（左右方向Ｂの外側）に突出した連結片２ａ１，２ｂ１が形成されている。これら連結片２ａ１，２ｂ１は、一方の屋根用端部材１と同様な他の屋根用端部材１を左右方向Ｂに隣接して両端部材１を連結したときに、他の屋根用端部材１の雨水案内板部２ａの左端部及び前垂れ板部２ｂの左端部と重なって配置される。このとき、連結片２ａ１，２ｂ１を他の屋根用端部材１の裏面側（後方側）に配置することで、連結片２ａ１，２ｂ１が他の屋根用端部材１に隠れる。このため、外観を損ねない。
【００１６】
底板部２ｃは、図５に示すように、傾斜部２ｃ１と、水平部２ｃ２と、垂直部２ｃ３とを有している。傾斜部２ｃ１は、前垂れ板部２ｂの下端から後方に向かって上方に傾斜している。水平部２ｃ２は、傾斜部２ｃ１の後端から後方に水平に延在している。垂直部２ｃ３は、水平部２ｃ２の後端から垂直に延在している。この垂直部２ｃ３は、左右方向Ｂに沿って互いに離隔して設けられた複数のリベット２ｄにより、板金部材３と一体的にリベット接合されている。つまり、板金部材２と板金部材３とが一体的に接続されて構成されている。なお、これら板金部材２，３は、リベット接合以外の接合方法により接合されていてもよい。
【００１７】
板金部材３は、図１に示すように、鼻隠し下地材１０４を覆うことが可能な被覆部３ａと、垂直板部３ｂと、底板部３ｃとを有している。被覆部３ａは、図４及び図６（ａ）に示すように、鼻隠し下地材１０４の前面１０４ａと前後方向Ａに対向可能な矩形平板形状の前板部３ａ１と、前板部３ａ１の上端から後方に突出して形成された上壁部３ａ２と、前板部３ａ１の下端から後方に突出して形成された下壁部３ａ３と、前板部３ａ１の右端から後方に突出して形成された右壁部（側壁部）３ａ４と、前板部３ａ１の左端から後方に突出して形成された左壁部（側壁部）３ａ５とを有している。
【００１８】
上壁部３ａ２は、左右方向Ｂに沿って長尺に形成され、前板部３ａ１の上端全体に亘って形成されている。下壁部３ａ３は、左右方向Ｂに沿って長尺に形成され、前板部３ａ１の下端全体に亘って形成されている。右壁部３ａ４は、上下方向Ｃに沿って長尺に形成され、前板部３ａ１の右端全体に亘って形成されている。左壁部３ａ５は、上下方向Ｃに沿って長尺に形成され、前板部３ａ１の左端全体に亘って形成されている。上壁部３ａ２、下壁部３ａ３、右壁部３ａ４及び左壁部３ａ５の前後方向Ａの長さは、いずれも同じ長さである。
【００１９】
また、被覆部３ａには、前板部３ａ１の後面（鼻隠し下地材１０４と対向可能な面）側に前板部３ａ１、上壁部３ａ２、下壁部３ａ３、右壁部３ａ４及び左壁部３ａ５により画定されてなる、後方に向かって開口した収容凹部３ａ６が設けられている。この収容凹部３ａ６内には、図１に示すように、石膏ボード（不燃ボード）１１０が収容されている。石膏ボード１１０は、その平面サイズが前板部３ａ１よりも一回り小さく、その厚み（前後方向Ａの厚み）が上壁部３ａ２、下壁部３ａ３、右壁部３ａ４及び左壁部３ａ５の前後方向の長さとほぼ同じ又は若干小さくなっており、収容凹部３ａ６内に収容可能に構成されている。本実施形態においては、収容凹部３ａ６に石膏ボード１１０が収容されているが、不燃材料から構成された不燃ボードであれば、どのようなものであってもよい。なお、石膏ボード１１０は、収容凹部３ａ６内に収容された状態で、被覆部３ａが鼻隠し下地材１０４に固定されることで、保持される。このため、石膏ボード１１０を多数のビスで鼻隠し下地材１０４に固定する必要がなくなり、石膏ボード１１０自体の取り付けが簡単なものとなる。
【００２０】
本実施形態における収容凹部３ａ６は、周囲が上壁部３ａ２、下壁部３ａ３、右壁部３ａ４及び左壁部３ａ５で囲まれて構成されているが、これら壁部３ａ２，３ａ３，３ａ４，３ａ５の少なくともいずれかが設けられていない状態で収容部が構成されていてもよい。なお、これら壁部３ａ２，３ａ３，３ａ４，３ａ５のすべてが設けられていない場合は、屋根用端部材を軒先に取り付けたときに、前板部３ａ１と鼻隠し下地材１０４との間に収容部としての収容空間が構成されておればよい。また、当該収容空間を構成するために、前板部３ａ１の周囲に取付片（不図示）を設けていてもよい。
【００２１】
右壁部３ａ４の後方端部には、図２及び図４に示すように、右方（左右方向Ｂの外側）に突出した連結片３ａ７が形成されている。連結片３ａ７は、上下方向Ｃに沿って長尺に形成され、右壁部３ａ４の後方端部全体に亘って形成されている。また、右壁部３ａ４と連結片３ａ７との境界部分には、貫通するスリット孔３ａ８が形成されている。スリット孔３ａ８は、図４及び図６（ａ）に示すように、上下方向Ｃに沿って長尺に形成され、且つ右壁部３ａ４と連結片３ａ７とに亘って形成されている。また、スリット孔３ａ８は、右壁部３ａ４及び連結片３ａ７の上下方向Ｃの中央よりもやや下方位置に配置されている。
【００２２】
また、左壁部３ａ５の後方端部には、図４に示すように、左方（左右方向Ｂの外側）に突出した差し込み片３ａ９が形成されている。差し込み片３ａ９は、上下方向Ｃの幅がスリット孔３ａ８の上下方向Ｃの長さよりも若干小さくなっている。また、差し込み片３ａ９の前後方向Ａの厚みは、スリット孔３ａ８の前後方向Ａの幅よりも若干小さくなっている。また、差し込み片３ａ９は、図４に示すように、上下方向Ｃにおいて、スリット孔３ａ８と同じ位置関係に配置されている。このため、一方の屋根用端部材１と同様な他の屋根用端部材１を左右方向Ｂに隣接して両端部材１を配置したときに、一方の屋根用端部材１の差し込み片３ａ９を他方の屋根用端部材１のスリット孔３ａ８に挿入することで、両端部材１を連結することが可能となる。このように両端部材１を連結した場合、他方の連結片３ａ７は一方の屋根用端部材１の被覆部３ａの右端部と重なる。このため、屋根用端部材１を連結片３ａ７にビスを用いて鼻隠し下地材１０４の前面１０４ａに取り付けたときでも、その取り付け用ビスを含む連結片３ａ７自体を隠すことが可能となり、屋根用端部材１同士のつなぎ目部分が目立ちにくくなって外観を損ねない。
【００２３】
垂直板部３ｂは、図６（ａ）に示すように、被覆部３ａの下壁部３ａ３の後方端部から下方に延在している。また、底板部３ｃは、垂直板部３ｂの下部から後方に延在している。これら垂直板部３ｂ、底板部３ｃ、及び、板金部材４によって、図１に示すように、軒天板（軒天井）１０６を前方から覆う軒天カバーとして構成されている。
【００２４】
垂直板部３ｂは、図２及び図４に示すように、左右方向Ｂに長尺に形成され、下壁部３ａ３全体に亘って形成されている。また、垂直板部３ｂの右端部には、右方（左右方向Ｂの外側）に突出した連結片３ｂ１が形成されている。この連結片３ｂ１も、一方の屋根用端部材１と同様な他の屋根用端部材１を左右方向Ｂに隣接して両端部材１を連結したときに、他の屋根用端部材１の垂直板部３ｂの左端部と重なって配置される。このとき、連結片３ｂ１を他の屋根用端部材１の裏面側（後方側）に配置することで、連結片３ｂ１が他の屋根用端部材１に隠れる。このため、外観を損ねない。
【００２５】
底板部３ｃは、図６（ａ）に示すように、第１水平部３ｃ１と、第１垂直部３ｃ２と、第２水平部３ｃ３と、第２垂直部３ｃ４と、第３水平部３ｃ５とを有している。第１水平部３ｃ１は、垂直板部３ｂの下端から後方に向かって水平に延在している。第１水平部３ｃ１は、左右方向Ｂに沿って長尺に形成され、垂直板部３ｂの下端全体に亘って形成されている。第１水平部３ｃ１の右端部には、図２に示すように、右方（左右方向Ｂの外側）に突出した連結片３ｃ６が形成されている。この連結片３ｃ６は、その前端が連結片３ｂ１の下端全体と繋がっている。この連結片３ｃ６も、一方の屋根用端部材１と同様な他の屋根用端部材１を左右方向Ｂに隣接して両端部材１を連結したときに、他の屋根用端部材１の第１水平部３ｃ１の左端部と重なって配置される。このとき、連結片３ｃ６を他の屋根用端部材１の裏面側（上方側）に配置することで、連結片３ｃ６が他の屋根用端部材１に隠れる。このため、外観を損ねない。
【００２６】
第１垂直部３ｃ２は、図６（ａ）に示すように、第１水平部３ｃ１の後端から上方に向かって垂直に延在している。第１垂直部３ｃ２は、左右方向Ｂに沿って長尺に形成され、第１水平部３ｃ１の後端全体に亘って形成されている。第１垂直部３ｃ２には、図４に示すように、厚み方向（前後方向Ａ）に貫通する複数の通気穴３ｃ７が形成されている。複数の通気穴３ｃ７は、左右方向Ｂに沿って配列されている。このように複数の通気穴３ｃ７が形成されていることで、図１に示すように、軒天板１０６の上方空間と外部空間とが連通する。このため、上方空間と繋がった小屋裏（不図示）も外部空間と連通し、建物の通気性が向上する。
【００２７】
第２水平部３ｃ３は、図６（ａ）に示すように、第１垂直部３ｃ２の上端から後方に向かって水平に延在している。第２水平部３ｃ３は、左右方向Ｂに沿って長尺に形成され、第１垂直部３ｃ２の上端全体に亘って形成されている。第２水平部３ｃ３は、図３に示すように、左右方向Ｂに沿って互いに離隔して設けられた複数のリベット３ｄにより、板金部材４と一体的にリベット接合されている。つまり、板金部材３と板金部材４とが一体的に接続されて構成されている。なお、これら板金部材３，４は、リベット接合以外の接合方法により接合されていてもよい。
【００２８】
第２垂直部３ｃ４は、第２水平部３ｃ３の後端から下方に向かって垂直に延在している。第２垂直部３ｃ４は、左右方向Ｂに沿って長尺に形成され、第２水平部３ｃ３の後端全体に亘って形成されている。第３水平部３ｃ５は、第２垂直部３ｃ４の下端から後方に向かって水平に延在している。第３水平部３ｃ５は、左右方向Ｂに沿って長尺に形成され、第２垂直部３ｃ４の下端全体に亘って形成されている。また、第３水平部３ｃ５の後端部は、前方に折り返されて形成されている。第３水平部３ｃ５は、図１に示すように、軒天板１０６の前端部を下方から支持する部分であり、板金部材４との間において軒天板１０６の前端部を挟持可能に構成されている。
【００２９】
板金部材４は、図６（ｂ）に示すように、板金部材３に取り付けるための取付水平部４ａと、傾斜部４ｂと、垂直部４ｃと、水平部４ｄとを有している。取付水平部４ａは、左右方向Ｂに沿って長尺に形成され、且つ前後方向Ａに沿って水平に延在している。傾斜部４ｂは、取付水平部４ａの後端から後方に向かって上方に傾斜している。また、傾斜部４ｂは、左右方向Ｂに沿って長尺に形成され、取付水平部４ａの後端全体に亘って形成されている。なお、傾斜部４ｂは、金属平板を折り返した部分を重ね合わせて構成されている。
【００３０】
垂直部４ｃは、図６（ｂ）に示すように、水平部４ａの後端から下方に向かって垂直に延在している。垂直部４ｃは、左右方向Ｂに沿って長尺に形成され、水平部４ａの後端全体に亘って形成されている。水平部４ｄは、垂直部４ｃの下端から後方に向かって水平に延在している。水平部４ｄは、左右方向Ｂに沿って長尺に形成され、垂直部４ｃの下端全体に亘って形成されている。また、水平部４ｄの後端部は、前方に折り返されて形成されている。図１に示すように、この水平部４ｄと、第２垂直部３ｃ４と、第３水平部３ｃ５とでなす凹部５に軒天板１０６の前端部が嵌め込まれる。
【００３１】
続いて、図２に示す屋根用端部材１を、屋根の軒先部分に設置する方法について以下に説明する。屋根用端部材１は、凹部５に軒天板１０６の前端部を嵌め込んだ状態で板金部材２の雨水案内板部２ａを野地板１０３上に配置する。そして、複数のビス１０８により、雨水案内板部２ａを野地板１０３上に固定する。このとき、被覆部３ａの収容凹部３ａ６内に石膏ボード１１０を予め収容しておく。そして、複数のビスにより被覆部３ａの連結片３ａ７を鼻隠し下地材１０４に固定する。こうして、屋根用端部材１が軒先部分に設置されるとともに、石膏ボード１１０が鼻隠し下地材１０４の前面１０４ａ側に保持された状態となる。
【００３２】
また、複数の屋根用端部材１を左右方向Ｂに隣接して設置する場合は、一方の屋根用端部材１を上述と同様にして、固定する。この後、他方の屋根用端部材１の凹部５に軒天板１０６の前端部を嵌め込んだ状態で、他方の屋根用端部材１の差し込み片３ａ９を一方の屋根用端部材１のスリット孔３ａ８に挿入して両端部材１を左右方向Ｂに沿って連結する。このとき、一方の屋根用端部材１の連結片２ａ１，２ｂ１，３ｂ１，３ｃ６を他方の屋根用端部材１の左端部の裏面側に重ねて配置する。こうして、複数の屋根用端部材１を左右方向Ｂに沿って並べて設置することが可能となる。
【００３３】
以上に述べたように、本実施形態の屋根用端部材１によると、屋根用端部材１が、鼻隠し下地材１０４を覆う被覆部３ａと、これに繋がった屋根水切り部としての板金部材２、及び、軒天カバーとしての垂直板部３ｂ、底板部３ｃ、及び、板金部材４を有している。このため、屋根の端部（すなわち、軒先）に屋根用端部材１を取り付けた際に、被覆部３ａとともに、上述の屋根水切り部及び軒天カバーも一度に取り付けることが可能になる。また、被覆部３ａの裏側に収容凹部３ａ６が設けられているため、石膏ボード１１０を釘やビスを用いることなく、鼻隠し下地材１０４と被覆部３ａとの間に容易に設けることが可能となる。
【００３４】
また、屋根用端部材１の被覆部３ａには、右壁部３ａ４と連結片３ａ７との境界部分に形成されたスリット孔３ａ８と、左壁部３ａ５に形成された差し込み片３ａ９とが形成されている。これにより、左右方向Ｂにおいて、屋根用端部材１同士を連結することが可能になる。また、屋根用端部材１同士を左右に連結したときに、一方の屋根用端部材１（被覆部３ａ）の連結片３ａ７を他方の屋根用端部材１（被覆部３ａ）が覆うように配置される。このため、例えば、一方の屋根用端部材１を鼻隠し下地材１０４に取り付ける際に、連結片３ａ７をビスなどで鼻隠し下地材１０４に固定しても、他方の屋根用端部材１によって連結片３ａ７が覆われるため、これら連結片３ａ７及びビスなどを隠すことができる。したがって、屋根用端部材１同士の継ぎ目の外観を損ねることなく、容易に連結することができる。
【００３５】
上述の実施形態においては、切妻屋根の軒先に設けられる屋根用端部材１について説明したが、図７に示すように、けらばに屋根用端部材２０１を設けてもよい。この他の実施形態に係る屋根用端部材２０１が採用された屋根構造２００は、図７に示すように、けらば近傍部分の構造であって、垂木２５１と、垂木２５１上に固定された野地板２５２と、野縁２５３と、軒天板２５４と、破風下地材２５５と、屋根用端部材２０１とを有している。軒天板２５４も、上述の軒天板１０６と同様な材料から構成されており、野縁２５３にビスなどで固定されている。なお、図７に示す一水平方向である前後方向Ａ、前後方向Ａと直交し前方から見たときの左右方向Ｂ、及び、前後方向Ａ及び左右方向Ｂに直交する上下方向Ｃを基準として、以下に説明する。また、図８〜図１２においても、説明の便宜上、図７に示す方向を基準として示す。
【００３６】
破風下地材２５５は、左右方向Ｂに長尺に延在し、図７に示すように、上下方向Ｃに沿って立設された木製の平板から構成されている。また、破風下地材２５５は、垂木２５１の前面２５１ａ及び野縁２５３の前面２５３ａにビスなどで固定されている。
【００３７】
続いて、屋根用端部材２０１について、図７〜図１２を参照しつつ以下に説明する。屋根用端部材２０１は、図７〜図１２に示すように、金属製の平板（例えば、ガルバリウム鋼板（登録商標））が折り曲げられて形成された２つの板金部材２０２，２０３を有しており、左右方向Ｂに沿って長尺に形成されている。板金部材２０２は、図１１に示すように、取付部２０２ａと、水平部２０２ｂと、垂直部２０２ｃと、底板部２０２ｄとを有しており、屋根水切り部として構成されている。
【００３８】
取付部２０２ａは、図７及び図１１に示すように、略Ｌ字断面形状を有している。取付部２０２ａは、野地板２５２上に配置され、複数のビスによって野地板２５２に固定される。また、取付部２０２ａの水平部分の右端部には、図８に示すように、右方（左右方向Ｂの外側）に突出した連結片２０２ａ１が形成されている。連結片２０２ａ１は、一方の屋根用端部材２０１と同様な他の屋根用端部材２０１を左右方向Ｂに隣接して両端部材２０１を連結したときに、他の屋根用端部材２０１の取付部２０２ａの左端部と重なって配置される。
【００３９】
水平部２０２ｂは、取付部２０２ａの前方部分の上端から前方に水平に延在して形成されている。水平部２０２ｂは、図７に示すように、野地板２５２の先端部に配置された受け桟２５２ａ上に配置される。垂直部２０２ｃは、水平部２０２ｂの前端から下方に垂直に延在して形成されている。水平部２０２ｂの右端部と垂直部２０２ｃの右端部には、図８に示すように、右方（左右方向Ｂの外側）に突出した連結片２０２ｂ１，２０２ｃ１が形成されている。これら連結片２０２ｂ１，２０２ｃ１は、一方の屋根用端部材２０１と同様な他の屋根用端部材２０１を左右方向Ｂに隣接して両端部材２０１を連結したときに、他の屋根用端部材２０１の水平部２０２ｂの左端部及び垂直部２０２ｃの左端部と重なって配置される。このとき、連結片２０２ｂ１，２０２ｃ１を他の屋根用端部材２０１の裏面側に配置することで、連結片２０２ｂ１，２０２ｃ１が他の屋根用端部材２０１に隠れる。このため、外観を損ねない。
【００４０】
底板部２０２ｄは、傾斜部２０２ｄ１と、水平部２０２ｄ２と、垂直部２０２ｄ３とを有している。傾斜部２０２ｄ１は、垂直部２０２ｃの下端から後方に向かってやや上方に傾斜している。水平部２０２ｄ２は、傾斜部２０２ｄ１の後端から後方に向かって水平に延在している。垂直部２０２ｄ３は、水平部２０２ｄ２の後端から垂直に延在している。この垂直部２０２ｄ３は、図７及び図９に示すように、左右方向Ｂに沿って互いに離隔して設けられた複数のリベット２０２ｅにより、板金部材２０３と一体的にリベット接合されている。つまり、板金部材２０２と板金部材２０３とが一体的に接続されて構成されている。なお、これら板金部材２０２，２０３は、リベット接合以外の接合方法により接合されていてもよい。
【００４１】
板金部材２０３は、図７に示すように、破風下地材２５５を覆うことが可能な被覆部２０３ａと、垂直板部２０３ｂと、底板部２０３ｃとを有している。被覆部２０３ａは、図１０及び図１２に示すように、破風下地材２５５の前面２５５ａと前後方向Ａに対向可能な矩形平板形状の前板部２０３ａ１と、前板部２０３ａ１の上端から後方に突出して形成された上壁部２０３ａ２と、前板部２０３ａ１の下端から後方に突出して形成された下壁部２０３ａ３と、前板部２０３ａ１の右端から後方に突出して形成された右壁部（側壁部）２０３ａ４と、前板部２０３ａ１の左端から後方に突出して形成された左壁部（側壁部）２０３ａ５とを有している。
【００４２】
上壁部２０３ａ２は、左右方向Ｂに沿って長尺に形成され、前板部２０３ａ１の上端全体に亘って形成されている。下壁部２０３ａ３は、左右方向Ｂに沿って長尺に形成され、前板部２０３ａ１の下端全体に亘って形成されている。右壁部２０３ａ４は、上下方向Ｃに沿って長尺に形成され、前板部２０３ａ１の右端全体に亘って形成されている。左壁部２０３ａ５は、上下方向Ｃに沿って長尺に形成され、前板部２０３ａ１の左端全体に亘って形成されている。上壁部２０３ａ２、下壁部２０３ａ３、右壁部２０３ａ４及び左壁部２０３ａ５の前後方向Ａの長さは、いずれも同じ長さである。
【００４３】
また、被覆部２０３ａには、前板部２０３ａ１の後面（破風下地材２５５と対向可能な面）側に前板部２０３ａ１、上壁部２０３ａ２、下壁部２０３ａ３、右壁部２０３ａ４及び左壁部２０３ａ５により画定されてなる、後方に向かって開口した収容凹部２０３ａ６が設けられている。この収容凹部２０３ａ６内には、図７に示すように、上述と同様な石膏ボード（不燃ボード）２１０が収容されている。石膏ボード２１０も、その平面サイズが前板部２０３ａ１よりも一回り小さく、その厚み（前後方向Ａの厚み）が上壁部２０３ａ２、下壁部２０３ａ３、右壁部２０３ａ４及び左壁部２０３ａ５の前後方向Ａの長さとほぼ同じ又は若干小さくなっており、収容凹部２０３ａ６内に収容可能に構成されている。本実施形態においても、石膏ボード２１０は不燃材料から構成された不燃ボードであれば、どのようなものであってもよい。なお、石膏ボード２１０は、収容凹部２０３ａ６内に収容された状態で、被覆部２０３ａが破風下地材２５５に固定されることで、保持される。このため、石膏ボード２１０を多数のビスで破風下地材２５５に固定する必要がなくなり、石膏ボード２１０自体の取り付けが簡単なものとなる。
【００４４】
本実施形態における収容凹部２０３ａ６も、上述の実施形態と同様に、これら壁部２０３ａ２，２０３ａ３，２０３ａ４，２０３ａ５の少なくともいずれかが設けられていない状態で収容部が構成されていてもよい。
【００４５】
右壁部２０３ａ４の後方端部には、図８及び図１０に示すように、右方（左右方向Ｂの外側）に突出した連結片２０３ａ７が形成されている。連結片２０３ａ７は、上下方向Ｃに沿って長尺に形成され、右壁部２０３ａ４の後方端部全体に亘って形成されている。また、右壁部２０３ａ４と連結片２０３ａ７との境界部分には、貫通するスリット孔２０３ａ８が形成されている。スリット孔２０３ａ８は、図１０及び図１２に示すように、上下方向Ｃに沿って長尺に形成され、且つ右壁部２０３ａ４と連結片３ａ７とに亘って形成されている。また、スリット孔２０３ａ８は、右壁部２０３ａ４及び連結片２０３ａ７の上下方向Ｃの中央よりもやや下方位置に配置されている。
【００４６】
また、左壁部２０３ａ５の後方端部には、図１０に示すように、左方（左右方向Ｂの外側）に突出した差し込み片２０３ａ９が形成されている。差し込み片２０３ａ９は、上下方向Ｃの幅がスリット孔２０３ａ８の上下方向Ｃの長さよりも若干小さくなっている。また、差し込み片２０３ａ９の前後方向Ａの厚みは、スリット孔２０３ａ８の前後方向Ａの幅よりも若干小さくなっている。また、差し込み片２０３ａ９は、図１０に示すように、上下方向Ｃにおいて、スリット孔２０３ａ８と同じ位置関係に配置されている。このため、一方の屋根用端部材２０１と同様な他の屋根用端部材２０１を左右方向Ｂに隣接して両端部材２０１を配置したときに、一方の屋根用端部材２０１の差し込み片２０３ａ９を他方の屋根用端部材２０１のスリット孔２０３ａ８に挿入することで、両端部材２０１を連結することが可能となる。このように両端部材２０１を連結した場合、他方の連結片２０３ａ７は一方の屋根用端部材２０１の被覆部２０３ａの右端部と重なる。このため、屋根用端部材２０１を連結片２０３ａ７にビスを用いて破風下地材２５５の前面２５５ａに取り付けたときでも、その取り付け用ビスを含む連結片２０３ａ７自体を隠すことが可能となり、屋根用端部材２０１同士のつなぎ目部分が目立ちにくくなって外観を損ねない。
【００４７】
垂直板部２０３ｂは、図１２に示すように、被覆部２０３ａの下壁部２０３ａ３の後方端部から下方に延在している。また、底板部２０３ｃは、垂直板部２０３ｂの下部から後方に延在している。これら垂直板部２０３ｂ及び底板部２０３ｃによって、図７に示すように、軒天板（軒天井）２５４を前方から覆う軒天カバーとして構成されている。
【００４８】
垂直板部２０３ｂは、図８及び図１０に示すように、左右方向Ｂに長尺に形成され、下壁部２０３ａ３全体に亘って形成されている。また、垂直板部２０３ｂの右端部には、右方（左右方向Ｂの外側）に突出した連結片２０３ｂ１が形成されている。これら連結片２０３ａ７，２０３ｂ１も、一方の屋根用端部材２０１と同様な他の屋根用端部材２０１を左右方向Ｂに隣接して両端部材２０１を連結したときに、他の屋根用端部材２０１の被覆部２０３ａの左端部及び垂直部２０３ｂの左端部と重なって配置される。このとき、連結片２０３ａ７，２０３ｂ１を他の屋根用端部材２０１の裏面側に配置することで、連結片２０３ａ７，２０３ｂ１が他の屋根用端部材２０１に隠れる。このため、外観を損ねない。
【００４９】
底板部２０３ｃは、図１２に示すように、傾斜部２０３ｃ１と、水平部２０３ｃ２とを有している。傾斜部２０３ｃ１は、垂直板部２０３ｂの下端から後方に向かって上方に傾斜している。傾斜部２０３ｃ１は、左右方向Ｂに沿って長尺に形成され、垂直板部２０３ｂの下端全体に亘って形成されている。水平部２０３ｃ２は、傾斜部２０３ｃ１の後端から後方に向かって水平に延在している。水平部２０３ｃ２も、左右方向Ｂに沿って長尺に形成され、傾斜部２０３ｃ１の後端全体に亘って形成されている。また、水平部２０３ｃ２の後端部は、前方に折り返されて形成されている。水平部２０３ｃ２は、図７に示すように、軒天板２５４の下面に当接した状態で、軒天板２５４に複数のビスで固定されている。
【００５０】
続いて、図８に示す屋根用端部材２０１を、屋根のけらば部分に設置する方法について以下に説明する。屋根用端部材２０１は、板金部材２０２の水平部２０２ｂが受け桟２５２ａ上に配置されつつ取付部２０２ａの水平部分が野地板２５２上に配置されるように、けらば部分に設置する。そして、複数のビスにより、取付部２０２ａを野地板２５２上に固定する。このとき、被覆部２０３ａの収容凹部２０３ａ６内に石膏ボード２１０を予め収容しておく。そして、複数のビスにより被覆部２０３ａの連結片２０３ａ７を破風下地材２５５に固定する。また、このとき、複数のビスにより、板金部材２０３の水平部２０３ｃ２を軒天板２５４に固定する。こうして、屋根用端部材２０１がけらば部分に設置されるとともに、石膏ボード２１０が破風下地材２５５の前面２５５ａ側に保持された状態となる。
【００５１】
また、複数の屋根用端部材２０１を左右方向Ｂに隣接して設置する場合は、一方の屋根用端部材２０１を上述と同様にして、固定する。この後、他方の屋根用端部材２０１において、板金部材２０２の水平部２０２ｂを受け桟２５２ａ上に配置しつつ取付部２０２ａの水平部分を野地板２５２上に配置した状態で、他方の屋根用端部材２０１の差し込み片２０３ａ９を一方の屋根用端部材２０１のスリット孔２０３ａ８に挿入して両端部材２０１を左右方向Ｂに沿って連結する。このとき、一方の屋根用端部材２０１の連結片２０２ａ１，２０２ｂ１，２０２ｃ１，２０３ａ７，２０３ｂ１を他方の屋根用端部材２０１の左端部の裏面側に重ねて配置する。この後、複数のビスにより、他方の屋根用端部材２０１の取付部２０２ａを野地板２５２に、連結片２０３ａ７を破風下地材２５５に、水平部２０３ｃ２を軒天板２５４に固定する。こうして、複数の屋根用端部材２０１を左右方向Ｂに沿って並べて設置することが可能となる。
【００５２】
以上に述べたように、本実施形態の屋根用端部材２０１によると、屋根用端部材２０１が、破風下地材２５５を覆う被覆部２０３ａと、これに繋がった屋根水切り部としての板金部材２０２、及び、軒天カバーとしての垂直板部２０３ｂ及び底板部２０３ｃを有している。このため、屋根の端部（すなわち、けらば）に屋根用端部材２０１を取り付けた際に、被覆部２０３ａとともに、上述の屋根水切り部及び軒天カバーも一度に取り付けることが可能になる。また、被覆部２０３ａの裏側に収容凹部２０３ａ６が設けられているため、石膏ボード２１０を釘やビスを用いることなく、破風下地材２５５と被覆部２０３ａとの間に容易に設けることが可能となる。また、屋根用端部材２０１は、上述の屋根用端部材１と同様な構成部分においては、同じ効果を得ることができる。
【００５３】
以上、本発明の好適な実施形態について説明したが、本発明は上述の実施形態に限られるものではなく、特許請求の範囲に記載した限りにおいて様々な変更が可能なものである。例えば、上述の各実施形態における屋根用端部材１，２０１は、被覆部３ａ，２０３ａに加えて、屋根水切り部及び軒天カバーとなる部分を両方有しているが、屋根水切り部及び軒天カバーのいずれか一方となる部分だけを有していてもよい。こうすれば、被覆部３ａ，２０３ａを取り付ける際に、屋根水切り部及び軒天カバーのいずれか一方となる部分も取り付けることが可能となる。なお、屋根用端部材１，２０１の被覆部３ａ，２０３ａの裏側には、不燃ボードを収容可能な収容部としての上述の収容凹部３ａ６，２０３ａ６が設けられておればよく、石膏ボード１１０，２１０などの不燃ボードが収容されていなくてもよい。
【００５４】
また、屋根用端部材１，２０１の被覆部３ａ，２０３ａの前板部３ａ１，２０３ａ１の裏面側（下地材側）に不燃ボードが接着剤や両面テープなどで貼着されていてもよい。この場合、特に、収容部としての収容凹部３ａ６，２０３ａ６が設けられていなくてもよい。これにおいても、上述の実施形態と同様の効果を得ることができる。
【００５５】
また、軒先に設置される屋根用端部材１には、通気穴３ｃ７が形成されていなくてもよい。また、被覆部３ａ，２０３ａに連結片３ａ７，２０３ａ７、スリット孔３ａ８，２０３ａ８及び差し込み片３ａ９，２０３ａ９が形成されていなくてもよい。
【符号の説明】
【００５６】
１，２０１  屋根用端部材
２，２０２  板金部材（屋根用水切り部）
３ａ，２０３ａ  被覆部
３ａ６，２０３ａ６  収容凹部（収容部）
３ａ７，２０３ａ７  連結片
３ａ８，２０３ａ８  スリット孔
３ａ９，２０３ａ９  差し込み片
３ｂ，２０３ｂ  垂直板部（軒天カバーの一部）
３ｃ，２０３ｃ  底板部（軒天カバーの一部）
３ｃ７  通気穴
４  板金部材（軒天カバーの一部）
１０４  鼻隠し下地材
１１０，２１０  石膏ボード（不燃ボード）
２５５  破風下地材
【図１】
2020007876.tif 000003
【図２】
2020007876.tif 000004
【図３】
2020007876.tif 000005
【図４】
2020007876.tif 000006
【図５】
2020007876.tif 000007
【図６】
2020007876.tif 000008
【図７】
2020007876.tif 000009
【図８】
2020007876.tif 000010
【図９】
2020007876.tif 000011
【図１０】
2020007876.tif 000012
【図１１】
2020007876.tif 000013
【図１２】
2020007876.tif 000014